(57)【特許請求の範囲】
【請求項１】
受信されたデジタル放送から番組情報を抽出する番組情報抽出手段と、
大きさに応じて前記番組情報を表示するための番組情報表示枠を、行列状に配置して電子番組表として表示する電子番組表表示手段と、
を備え、
前記電子番組表に表示されている番組情報表示枠から、選択される番組を表す番組選択枠を上下方向又は左右方向に移動表示させる操作を検知する操作検知手段と、
前記操作検知手段により検知された回数が、連続して同じ方向に所定回数以上となったときに、移動表示される方向が左右方向であれば番組選択枠を含む行方向の番組情報表示枠の高さを広げて変更し、移動表示される方向が上下方向であれば番組選択枠を含む列方向の番組情報表示枠の幅を広げて変更する番組情報表示枠変更手段と、
を有することを特徴とする電子番組表表示装置。
【請求項２】
受信されたデジタル放送から番組情報を抽出する番組情報抽出手段と、
大きさに応じて 前記番組情報を表示するための番組情報表示枠を、行列状に配置して電子番組表として表示する電子番組表表示手段と、
を備え、
前記電子番組表に表示されている番組情報表示枠から、選択される番組を表す番組選択枠を上下方向又は左右方向に移動表示させる操作を検知する操作検知手段と、
前記操作検知手段により設定時間幅以上連続して操作が検知されたときに、移動表示される方向が左右方向であれば番組選択枠を含む行方向の番組情報表示枠の高さを広げて変更し、移動表示される方向が上下方向であれば番組選択枠を含む列方向の番組情報表示枠の幅を広げて変更する番組情報表示枠変更手段と、
を有することを特徴とする電子番組表表示装置。
【請求項３】
前記番組情報表示枠変更手段は、番組情報表示枠を変更した後に、前記操作検知手段により変更前と異なる方向の操作が検知された場合には、当該変更された番組情報表示枠を元の大きさに戻すことを特徴とする請求項１又は２に記載の電子番組表表示装置。
【請求項４】
前記番組情報表示枠変更手段は、列方向の番組情報表示枠の幅を広げる場合には、番組情報表示枠の左端を固定し、右方向へ表示枠の幅を広げることを特徴とする請求項１から３の何れか一項に記載の電子番組表表示装置。
【請求項５】
前記番組情報表示枠変更手段は、行方向の番組情報表示枠の高さを広げる場合には、番組情報表示枠の上端を固定し、下方向へ表示枠の幅を広げることを特徴とする請求項１から３の何れか一項に記載の電子番組表表示装置。
【発明の詳細な説明】
【技術分野】
【０００１】
本発明は、デジタル放送などに用いられている電子番組表を生成する電子番組表表示装置に関する。
【背景技術】
【０００２】
放送のデジタル化などにより電子番組表として番組情報が取得できるようになり、該電子番組表から視聴番組の選択や、視聴予約および録画予約ができるようになったが、多チャンネル化により１度に表示できる番組表には制約があり、多くの放送局や時間帯を表示しようとすると、１つの番組の情報が小さくなってしまう問題があった。
【０００３】
そこで、番組表において、番組情報をわかりやすく表示したり、番組表の表示枠を変更したりすることが可能な電子番組表表示装置に関し、以下のような従来例がある。
【０００４】
下記記載の特許文献１（「特開平１１−１５５１１０号公報」）によれば、番組表全体を一覧形式で表示できると共に、所望の番組に関する詳細な情報を分かり易く表示することができる番組表表示装置及びその方法に関する技術が開示されている。
【０００５】
また、下記記載の特許文献２（「特開平１１−３１３２９１号公報」）によれば、番組案内表示を時間軸方向、チャンネル（放送局）軸方向の少なくともいずれか一方を、ユーザーにとって見やすい形式で表示することが可能な番組案内表示装置及び方法に関する技術が開示されている。
【特許文献１】特開平１１−１５５１１０号公報
【特許文献２】特開平１１−３１３２９１号公報
【発明の開示】
【発明が解決しようとする課題】
【０００６】
しかしながら、特許文献１や、特許文献２で開示されている電子番組表表示装置は選択している番組およびその直近の番組の情報のみが見やすくなるだけで、探そうといている方向（例えば、チャンネル軸、時間軸方向）の番組全体を見やすくすることが困難であるという問題を有している。すなわち、その直近の表示枠を大きくしたりして、選択されている番組の情報を見やすくするが、ユーザーの見たい領域の見易さは改善されていない。
【０００７】
そこで、本発明は、このような状況に鑑みて提案されたもので、操作方向によって番組表の番組表示枠の大きさを変化させることにより、操作者が探し出そうとしている番組および現在表示している番組の情報を見やすくすることができる電子番組表表示装置を提供することを目的とするものである。
【課題を解決するための手段】
【０００８】
本発明に係る電子番組表表示装置は、こうした課題を解決するための技術手段を構成し、以下の特徴を備えるものである。
【０００９】
本発明の電子番組表表示装置は、
受信されたデジタル放送から番組情報を抽出する番組情報抽出手段と、
大きさに応じて 前記番組情報を表示するための番組情報表示枠を、行列状に配置して電子番組表として表示する電子番組表表示手段と、
を備え、
前記電子番組表に表示されている番組情報表示枠から、選択される番組を表す番組選択枠を上下方向又は左右方向に移動表示させる操作を検知する操作検知手段と、
前記操作検知手段により検知された回数が、連続して同じ方向に所定回数以上となったときに、移動表示される方向が左右方向であれば番組選択枠を含む行方向の番組情報表示枠の高さを広げて変更し、移動表示される方向が上下方向であれば番組選択枠を含む列方向の番組情報表示枠の幅を広げて変更する番組情報表示枠変更手段と、
を有することを特徴とする。
【００１０】
本発明の電子番組表表示装置は、
受信されたデジタル放送から番組情報を抽出する番組情報抽出手段と、
大きさに応じて 前記番組情報を表示するための番組情報表示枠を、行列状に配置して電子番組表として表示する電子番組表表示手段と、
を備え、
前記電子番組表に表示されている番組情報表示枠から、選択される番組を表す番組選択枠を上下方向又は左右方向に移動表示させる操作を検知する操作検知手段と、
前記操作検知手段により設定時間幅以上連続して操作が検知されたときに、移動表示される方向が左右方向であれば番組選択枠を含む行方向の番組情報表示枠の高さを広げて変更し、移動表示される方向が上下方向であれば番組選択枠を含む列方向の番組情報表示枠の幅を広げて変更する番組情報表示枠変更手段と、
を有することを特徴とする。
【００１１】
また、本発明の電子番組表表示装置において、
前記番組情報表示枠変更手段は、番組情報表示枠を変更した後に、前記操作検知手段により変更前と異なる方向の操作が検知された場合には、当該変更された番組情報表示枠を元の大きさに戻すことを特徴とする。
【００１２】
また、本発明の電子番組表表示装置において、前記番組情報表示枠変更手段は、列方向の番組情報表示枠の幅を広げる場合には、番組情報表示枠の左端を固定し、右方向へ表示枠の幅を広げることを特徴とする。
【００１３】
また、本発明の電子番組表表示装置において、前記番組情報表示枠変更手段は、行方向の番組情報表示枠の高さを広げる場合には、番組情報表示枠の上端を固定し、下方向へ表示枠の幅を広げることを特徴とする。
【発明の効果】
【００１７】
上記にて説明したように本発明は、以下の効果を奏する。
【００１８】
本発明に係る電子番組表表示装置によれば、上述したような構成としているので、番組情報表示枠を移動させた場合に、移動方向の番組情報表示枠が他の番組情報表示枠よりも大きく表示されることにより、表示される情報量が多くなり、番組情報が見やすくなると共に、番組を探しやすくすることが可能となる。
【００１９】
また、本発明に係る電子番組表表示装置によれば、左右方向に番組情報表示枠を移動させた場合に、移動方向の番組情報表示枠が他の番組情報表示枠よりも大きく表示されることにより、表示される情報量が多くなり、番組情報が見やすくなると共に、番組を探しやすくすることが可能となる。
【００２０】
また、本発明に係る電子番組表表示装置によれば、上下方向に番組情報表示枠を移動させた場合に、移動方向の番組情報表示枠が他の番組情報表示枠よりも大きく表示されることにより、表示される情報量が多くなり、番組情報が見やすくなると共に、番組を探しやすくすることが可能となる。
【００２１】
また、本発明に係る電子番組表表示装置によれば、番組表での移動が指定回数以上連続で上下、或いは左右方向に移動した場合に、該当する移動方向の番組情報表示枠が他の番組情報表示枠よりも大きく表示されることにより、表示される情報量が多くなり、番組情報が見やすくなると共に、番組を探しやすくすることが可能となる。
【００２２】
また、本発明に係る電子番組表表示装置によれば、番組表操作部（リモコン）での上下或いは左右の操作がリモコンの連続押しの操作と判定された場合に、該操作方向の番組情報表示枠が他の番組情報表示枠よりも大きく表示されることにより、表示される情報量が多くなり、番組情報が見やすくなると共に、番組を探しやすくすることが可能となる。
【００２３】
また、本発明に係る電子番組表表示装置によれば、現在表示されている番組情報表示枠外に移動させた場合に、その移動方向（左右方向又は上下方向）の番組情報表示枠が他の番組情報表示枠よりも大きく表示されることにより、表示される情報量が多くなり、番組情報が見やすくなると共に、番組を探しやすくすることが可能となる。また、番組表の表示枠外への移動に合わせて番組表の該当枠の大きさを変えることにより、ユーザーへの違和感を少なくすることも可能となる。
【発明を実施するための最良の形態】
【００２４】
本発明に係る電子番組表表示装置の一実施形態について添付した図面を参照して以下に詳細に説明する。
【００２５】
図１は、本実施形態に係る電子番組表示装置の構成を示す構成図である。
【００２６】
図２は、本実施形態に係る電子番組表表示装置によって生成される番組表表示例を示す図である。
【００２７】
図１に示すように、本実施形態に係る電子番組表示装置（１０）は、デジタル放送を受信し、番組情報抽出する番組情報抽出部（１１）と、抽出された番組情報から電子番組表を生成する電子番組表生成部を備え、本電子番組表示装置（１０）の全体の制御を行う制御部（１２）と、放送信号と制御部（１２）からの電子番組表の生成信号とを合成する合成器１３と、合成された映像信号を表示する表示部（ＥＰＧ）（１４）と、表示部に表示される電子番組表を外部から制御（カーソル制御も含む）を行う操作部（１５）と、操作部（１５）の制御の下、表示枠を変更する表示枠変更部（１６）と、を備えて構成される。
【００２８】
図２に示すように、本実施形態に係る電子番組表表示装置（１０）によって生成される番組表は、現在の放送種別（同図によれば、ＢＳテレビ）を示す放送種別表示枠（１０１）と、現在表示されている番組表の日付を表示する日付表示枠（１０２）と、番組表の時間帯を示す時間帯表示枠（１０３）と、放送局名を表示する放送局表示枠（１０４）と、現在選択されている放送局を示す選択放送局表示枠（１０５）と、番組情報を表示する番組情報表示枠（１０７）と、番組の詳細情報を表示する番組詳細情報表示枠（１０９）と、から構成されている。
【００２９】
また、図２は、番組表において放送局表示枠（１０４）のうち、放送局名「Ｃテレビ」の放送局表示枠（１１０）が他の放送表示枠よりも大きく表示され、番組情報表示枠（１０８）が、他の番組表示枠よりも大きく表示された際の表示例を示している。
【００３０】
まず、図２を用いて、左右方向（時間軸方向）に番組情報表示枠が他の番組情報表示枠よりも大きく表示される表示例について説明する。
【００３１】
両方向矢印（１０６）で示すように左右方向への番組選択が行われた場合、放送局名「Ｃテレビ」に選択された放送局表示枠（１１０）が他の表示枠よりも大きく表示され、１０８に示すように、選択された番組情報表示枠に表示される情報量が増えることにより、選択している移動対象の番組の情報が見やすくなる。
【００３２】
また、図３は、通常の番組表の表示例を示す図である。
【００３３】
図３に示すように、選択されている放送局表示枠（３０１）、選択されている時間帯表示枠（３０２）、選択されている番組情報表示枠（３０３）のそれぞれの表示枠の大きさが、他の選択されていない番組情報表示枠（例えば、チャンネル軸、時間軸方向）と同じ大きさとなっている。
【００３４】
一方、上記説明したように、図２に示す番組表の選択放送表示枠（１０５）において、両方向矢印（１０６）に示す左右方向に移動しているということは、選択されている放送局（「Ｃテレビ」）の番組を探している可能性が高いため、該放送局表示枠を大きくして、番組情報が見やすくさせると共に、番組を探しやすくさせている。
【００３５】
次に、図４を用いて、上下方向（放送局選択方向）に番組情報表示枠が、他の番組情報表示枠よりも大きく表示される番組表の表示例について説明する。
【００３６】
図４は、上下方向に番組情報表示枠が、他の番組情報表示枠よりも大きく表示される番組表の表示例を示す図である。
【００３７】
図４に示すように、番組表において上下方向（放送局選択方向）に番組選択表示枠が移動した際に、移動対象となっている上下方向の番組情報表示枠（この例では、選択されている時間帯の表示枠）が、他の表示枠よりも大きく表示されているのがわかる。
【００３８】
この図４において、両方向矢印（２０３）で示すように上下方向への番組選択が行われた場合、放送時間帯の時間帯表示枠（２０１）が他の表示枠よりも大きく表示され、番組情報表示枠（２０４）に表示される情報量が増えることにより、選択しようとしている移動対象の番組の情報が見やすくなる。
【００３９】
このように、２０３で示すようにユーザーが選択枠を上下方向に移動しているということは、移動させている時間帯の番組を探している可能性が高いため、該放送時間帯の表示枠を大きくすることにより、番組情報が見やすくなると共に、番組を探しやすくもなる。
【００４０】
次に、図４の状態においてさらに、右方向へ番組選択枠を移動し、番組表表示枠外へ選択することにより、右方向（次の時間帯）の番組情報表示枠が大きくなった場合の表示例について、図５を用いて説明する。
【００４１】
図５は、左右方向の番組情報表示枠が大きくなった場合を示す番組表表示例を示す図である。
【００４２】
図４に示すように、番組方向（時間方向；ＰＭ８：００）に拡大して表示している状態から、図５に示すように、矢印４０２で示すように番組選択枠が番組表枠外へ右方向に移動させた場合に、４０３の番組（ＰＭ９：００）が選択され、４０１で示される放送局表示枠が他の表示枠よりも大きく表示することができる。
【００４３】
次に、図６の状態においてさらに、下方向（Ｇテレビ以降）へ番組選択枠を移動し、番組表表示枠外へ選択することにより、下方向（次のテレビ局の選択）の番組情報表示枠が大きくなった場合の表示例について、図７を用いて説明する。
【００４４】
図６は、図３に示したとものと同様に、５０１で示すように、選択されている番組の番組情報表示枠は他の時間帯と同じ大きさで表示されている通常番組表の状態を示している図である。
【００４５】
図７は、下方向の番組情報表示枠が大きくなった場合を示す番組表表示例を示す図である。
【００４６】
図７に示すように、図６に示す状態から、さらに下方向（矢印６０２）に番組選択枠を移動した後、６０２で示すような番組選択枠の遷移が発生し、６０１で示す時間帯（ＰＭ８：００）の表示枠が他の時間帯の表示枠よりも大きく表示され、６０３で示されるように、番組情報表示枠の大きさが大きくなり、番組情報の表示される情報量が多くなり、該時間帯の番組情報が見やすくなる。
【００４７】
次に、図８，９及び１０を参照して、本発明に係る電子番組表表示装置によって、生成される電子番組表の操作手順について説明する。
【００４８】
図８は、本発明による電子番組表表示装置の指定した操作回数以上連続で操作された際に、番組表の表示枠の大きさを変化させる処理フローの一例を示す図である。
【００４９】
操作部１５の上下左右ボタンでの操作がされると（ステップＳ１０１；以下、ステップの表示は省く。）、現在の状態が番組表の番組選択状態かどうかの判定を行い（Ｓ１０２）、偽ならば（Ｓ１０２；Ｎｏ）、当該画面での操作を実行する（Ｓ１０３）。
【００５０】
真なら（Ｓ１０２；Ｙｅｓ）、その操作が上下の操作かどうかの判定を行い（Ｓ１０４）、真なら現在表示中の番組表において、選択している番組の上下方向の番組情報表示枠が、他の番組情報表示枠よりも大きく表示している状態であるかどうかの判定を行い（Ｓ１０５）、真なら（Ｓ１０５；Ｙｅｓ）、番組表の番組情報表示枠の大きさの変更をせずに操作方向への番組選択枠の移動処理を行う（Ｓ１１４）。
【００５１】
Ｓ１０５において、偽ならば（Ｓ１０５；Ｎｏ）、前回の操作も上下方向への移動操作であったかどうかの判定を行い（Ｓ１０６）、真ならば（Ｓ１０６；Ｙｅｓ）、上下方向の連続操作回数が、番組表の枠を大きくするための設定回数以上かどうかの判定を行う（Ｓ１０７）。
【００５２】
Ｓ１０６の判定において、偽の場合（Ｓ１０６；Ｎｏ）、左右方向の番組情報表示枠が拡大表示中かの判定を行い（Ｓ１０８）、偽なら（Ｓ１０８；Ｎｏ）、操作方向への番組選択枠の移動を行う（Ｓ１１０）。真なら（Ｓ１０８；Ｙｅｓ）、現在左右方向において拡大表示されている処理をやめて、通常の番組表（例として図３）に戻して操作方向への番組選択枠の移動を行う（Ｓ１０９）。
【００５３】
Ｓ１０７の判定において、真の場合（Ｓ１０７；Ｙｅｓ）、操作方向である上下方向の番組情報表示枠を他の番組情報表示枠よりも拡大して表示して、操作された方向へ番組選択枠を移動させる（Ｓ１１３）。
【００５４】
Ｓ１０７の判定において、偽ならば（Ｓ１０７；Ｎｏ）、操作回数判定用の連続操作回数のカウントを１つプラスして（Ｓ１１１）、操作された方向へ番組選択枠を移動させる（Ｓ１１２）。
【００５５】
Ｓ１０４の判定において、偽（すなわち左右方向への操作）ならば（Ｓ１０４；Ｎｏ）、表示されている番組表において、操作方向である左右方向の番組情報表示枠が他の番組情報表示枠よりも拡大表示されているかの判定を行い（Ｓ１１５）、判定結果が真なら（Ｓ１１５；Ｙｅｓ）、拡大表示したままの状態で操作された方向へ番組選択枠を移動させる（Ｓ１２０）。
【００５６】
偽ならば（Ｓ１１５；Ｎｏ）、前回の操作が左右方向の操作であったかどうかの判定を行い（Ｓ１１６）、真ならば（Ｓ１１６；Ｙｅｓ）、左右方向の連続操作回数が、番組表の枠を大きくするための設定回数以上かどうかの判定を行う（Ｓ１１７）。
【００５７】
該判定において、真の場合（Ｓ１１７；Ｙｅｓ）、操作方向である左右方向の番組情報表示枠を他の番組情報表示枠よりも拡大して表示して、操作された方向へ番組選択枠を移動させる（Ｓ１２３）。偽ならば（Ｓ１１７；Ｎｏ）、操作回数判定用の連続操作回数のカウントを１つプラスして（Ｓ１１８）、操作された方向へ番組選択枠を移動させる（Ｓ１１９）。
【００５８】
Ｓ１１６の判定において、偽ならば（Ｓ１１６；Ｎｏ）、上下方向の番組情報表示枠が拡大表示中であるかを判定し（Ｓ１２１）、真なら（Ｓ１２１；Ｙｅｓ）、現在上下方向において拡大表示されている処理をやめて、通常の番組表（例として図６）に戻して操作方向への番組選択枠の移動を行い（Ｓ１２２）、偽なら（Ｓ１２１；Ｎｏ）、操作方向への番組選択枠の移動を行う（Ｓ１２４）。
【００５９】
次に、本発明による電子番組表表示装置のリモコン動作が連続操作された際に（リモコン連続押し）、番組表の番組情報表示枠の大きさを変化させる処理動作について、図９を用いて説明する。
【００６０】
図９は、本発明による電子番組表表示装置のリモコン動作が連続操作された際に、番組表の番組情報表示枠の大きさを変化させる処理フローの一例を示すフロー図である。
【００６１】
図９に示す処理番号Ｓ２０７，Ｓ２１１，Ｓ２１２，Ｓ２１６，Ｓ２１７，Ｓ２２１以外の処理については、図８と同様のため、図８の処理フローを参照とする。
【００６２】
まず、Ｓ２０６の判定において、真の場合（Ｓ２０６；Ｙｅｓ）、現在の上下操作がリモコンの連続押し（押しっぱなし）状態であるかどうかを判定し（Ｓ２０７）、真の場合（Ｓ２０７；Ｙｅｓ）、操作方向である上下方向の番組情報表示枠を他の番組情報表示枠よりも拡大して表示して、操作された方向へ番組選択枠を移動させ（Ｓ２１２）、偽の場合（Ｓ２０７；Ｎｏ）、操作された方向へ番組選択枠を移動させる（Ｓ２１１）。
【００６３】
Ｓ２１５の判定において、真の場合（Ｓ２１５；Ｙｅｓ）、現在の左右操作がリモコンの連続押し（押しっぱなし）状態であるかどうかを判定し（Ｓ２１６）、真の場合（Ｓ２１６；Ｙｅｓ）、操作方向である左右方向の番組情報表示枠を他の番組情報表示枠よりも拡大して表示して、操作された方向へ番組選択枠を移動させ（Ｓ２２１）、偽の場合（Ｓ１６；Ｎｏ）、操作された方向へ番組選択枠を移動させる（Ｓ２１７）。
【００６４】
このように、図８に示したような離散的な動作異なり、リモコンを連続押しているような状態を検知するため、ユーザーの操作の利便性をその時の場合に応じて、図ることが可能である。
【００６５】
次に、本発明による電子番組表表示装置の現在表示されている番組表の表示枠外へ操作された際に、番組表の番組情報表示枠の大きさを変化させる処理動作について説明する。
【００６６】
図１０は、本発明による電子番組表表示装置の現在表示されている番組表の表示枠外へ操作された際に、番組表の番組情報表示枠の大きさを変化させる処理フローの一例を示す図である。
【００６７】
図１０に示す処理番号Ｓ３０７，Ｓ３１１，Ｓ３１２，Ｓ３１６，Ｓ３１７，Ｓ３１９以外の処理については、図８と同様のため、図８の処理フローを参照とする。
【００６８】
まず、Ｓ３０６の判定において真の場合（Ｓ３０６；Ｙｅｓ）、該上下の操作によって、表示されている番組表の表示枠外への上下方向の操作であるかの判定を行い（Ｓ３０７）、真の場合（Ｓ３０７；Ｙｅｓ）、番組表のスクロール操作に合わせて、操作方向である上下方向の番組情報表示枠を他の番組情報表示枠よりも拡大して表示して、操作された方向へ番組選択枠を移動させる（Ｓ３１１）。
【００６９】
偽の場合（Ｓ３０７；Ｎｏ）、操作された方向へ番組選択枠を移動させる（Ｓ３１２）。
【００７０】
Ｓ３１５の判定において真の場合（Ｓ３１５；Ｙｅｓ）、該左右の操作によって、表示されている番組表の表示枠外への左右方向の操作であるかの判定を行い（Ｓ３１６）、真の場合（Ｓ３１６；Ｙｅｓ）、番組表のスクロール操作に合わせて、操作方向である左右方向の番組情報表示枠を他の番組情報表示枠よりも拡大して表示して、操作された方向へ番組選択枠を移動させる（Ｓ３１９）。
【００７１】
偽の場合（Ｓ３１６；Ｎｏ）、操作された方向へ番組選択枠を移動させる（Ｓ３１７）。
【００７２】
以上説明したように、操作方向によって番組表の番組情報表示枠を変化させることにより、操作者が探し出そうとしている番組および現在表示している番組の情報を見やすくすることが可能である。
【００７３】
尚、本発明の電子番組表表示装置は、上記した実施形態に限定されるものではなく、本発明の要旨を逸脱しない範囲内において種々変更を加え得ることは勿論である。
【図面の簡単な説明】
【００７４】
【図１】本実施形態に係る電子番組表示装置の構成を示す構成図である。
【図２】本実施形態に係る電子番組表表示装置によって生成される番組表表示例を示す図であり、左右方向に番組情報表示枠が他の番組情報表示枠よりも大きく表示される番組表の表示例を示す図である。
【図３】通常の番組表の表示例を示す図である。
【図４】上下方向に番組情報表示枠が、他の番組情報表示枠よりも大きく表示される番組表の表示例を示す図である。
【図５】左右方向の番組情報表示枠が大きくなった場合を示す番組表表示例を示す図である。
【図６】上下方向（時間方向の拡大）に番組選択枠の移動状態ではなく、選択されている番組の時間帯５０１は他の時間帯と同じ大きさで表示されている通常番組表の状態を示している図である。
【図７】下方向の番組情報表示枠が大きくなった場合を示す番組表表示例を示す図である。
【図８】本発明による電子番組表表示装置の指定した操作回数以上連続で操作された際に、番組表の番組情報表示枠の大きさを変化させる処理フローの一例を示す図である。
【図９】本発明による電子番組表表示装置のリモコン動作が連続操作された際に、番組表の番組情報表示枠の大きさを変化させる処理フローの一例を示すフロー図である。
【図１０】本発明による電子番組表表示装置の現在表示されている番組表の表示枠外へ操作された際に、番組表の番組情報表示枠の大きさを変化させる処理フローの一例を示す図である。
【符号の説明】
【００７５】
１０    電子番組表表示装置
１１    番組情報抽出部
１２    制御部
１３    合成部
１４    表示部
１５    操作部
１６    表示枠変更手段
１０１  放送種別表示
１０２  日付表示枠
１０３  時間帯表示枠
１０４  放送局表示枠
１０５  選択放送表示枠
１０６  左右方向の両方向矢印
１０７  番組情報表示枠
１０８  選択された番組情報表示枠
１０９  番組詳細情報表示枠
１１０  選択された放送局表示枠
２０１  時間帯表示枠
２０３  両方向矢印
３０１  放送局表示枠
３０２、６０１  時間帯表示枠
２０２、２０４、３０３、４０３、５０１、６０３  番組情報表示枠
４０１  放送局表示枠
４０２、６０２  矢印
【図１】
0004703302.tif 000002
【図２】
0004703302.tif 000003
【図３】
0004703302.tif 000004
【図４】
0004703302.tif 000005
【図５】
0004703302.tif 000006
【図６】
0004703302.tif 000007
【図７】
0004703302.tif 000008
【図８】
0004703302.tif 000009
【図９】
0004703302.tif 000010
【図１０】
0004703302.tif 000011